(57)【要約】【課題】リモコン装置の操作性を向上させることが可能なリモコン装置の制御方法、リモコン装置及び表示システムを提供する。【解決手段】表示画面上に表示されたフォーカスを移動させるための第１キーと、前記表示画面上に表示されたポインタを移動させるための第２キーと、フォーカス位置での決定動作又はポインタ位置での選択動作を指示するための第３キーと、を備えたリモコン装置の制御方法であって、前記リモコン装置に対する操作を受け付ける受付工程と、前記受付工程で受け付けた直前の操作内容に応じて、前記第３キーが指示する動作内容を切り替える切替工程と、を含む。【選択図】図１０
2012134879.tif 000002
【特許請求の範囲】
【請求項１】
表示画面上に表示されたフォーカスを移動させるための第１キーと、前記表示画面上に表示されたポインタを移動させるための第２キーと、フォーカス位置での決定動作又はポインタ位置での選択動作を指示するための第３キーと、を備えたリモコン装置の制御方法であって、
前記リモコン装置に対する操作を受け付ける受付工程と、
前記受付工程で受け付けた直前の操作内容に応じて、前記第３キーが指示する動作内容を切り替える切替工程と、
を含むリモコン装置の制御方法。
【請求項２】
前記切替工程では、前記受付工程で受け付けた直前の操作内容が前記フォーカスの移動であった場合に、前記第３キーが指示される動作内容をフォーカス位置での決定動作に設定し、前記受付工程が受け付けた直前の操作内容が前記ポインタの移動であった場合に、前記第３キーが指示される動作内容をポインタ位置での選択動作に設定する請求項１に記載のリモコン装置の制御方法。
【請求項３】
前記リモコン装置は、前記第１キー、前記第２キー及び前記第３キー以外の他のキーを更に備え、
前記切替工程では、前記受付工程が受け付けた直前の操作内容が前記他のキーに係るものであった場合に、前記第３キーが指示する動作内容をフォーカス位置での決定動作に設定する請求項１又は２に記載のリモコン装置の制御方法。
【請求項４】
前記切替工程で前記第３キーに設定された動作内容を提示する提示工程を更に含む請求項１〜３の何れか一項に記載のリモコン装置の制御方法。
【請求項５】
前記第２キー及び前記第３キーの機能が、同一の操作キーにより実現されていることを特徴とする請求項１〜４の何れか一項に記載のリモコン装置の制御方法。
【請求項６】
前記第１キーは、所定の方向成分に割り振られた環状の方向キーにより成形され、
前記操作キーは、前記方向キーの環状構造の中央部に配置されていることを特徴とする請求項５に記載のリモコン装置の制御方法。
【請求項７】
前記リモコン装置は、
前記第１キー、前記第２キー及び前記第３キーを上面に配置した略長方形状の第１筐体と、
文字入力に係る入力キーを上面に配置した略長方形状の第２筐体と、
前記第２筐体の上面に前記第１筐体の底面を重ね、前記第１筐体及び前記第２筐体をその中心位置で相対回動可能に連結する連結部と、
を備え、
前記連結部は、前記入力キーの操作時において、前記第１筐体の長辺方向と前記第２筐体の長辺方向との成す角が略直角となる配置まで回動し、前記入力キーを露出する請求項１〜６の何れか一項に記載のリモコン装置の制御方法。
【請求項８】
前記第１筐体及び前記第２筐体の開閉状態を検出する検出工程を更に含み、
前記切替工程では、前記検出工程で検出された前記第１筐体及び前記第２筐体の開閉状態に応じて、前記第３キーが指示する動作内容を切り替える請求項７に記載のリモコン装置の制御方法。
【請求項９】
表示画面上に表示されたフォーカスを移動させるための第１キーと、
前記表示画面上に表示されたポインタを移動させるための第２キーと、
フォーカス位置での決定動作又はポインタ位置での選択動作を指示するための第３キーと、
前記第１キー、前記第２キー及び前記第３キーに対する操作を受け付ける受付手段と、
前記受付手段が受け付けた直前の操作内容に応じて、前記第３キーが指示する動作内容を切り替える切替手段と、
を備えたことを特徴とするリモコン装置。
【請求項１０】
表示画面上に所定の画像を表示する表示装置を備えた電子機器と、前記電子機器の遠隔操作を行うリモコン装置と、を有した表示システムであって、
前記リモコン装置は、
前記表示画面上に表示されたフォーカスを移動させるための第１キーと、
前記表示画面上に表示されたポインタを移動させるための第２キーと、
フォーカス位置での決定動作又はポインタ位置での選択動作を指示するための第３キーと、
前記第１キー、前記第２キー及び前記第３キーに対する操作を受け付ける受付手段と、前記受付手段が受け付けた直前の操作内容に応じて、前記第３キーが指示する動作内容を切り替える切替手段と、を備えたことを特徴とする表示システム。
【発明の詳細な説明】
【技術分野】
【０００１】
本発明の実施形態は、リモコン装置の制御方法、リモコン装置及び表示システムに関する。
【背景技術】
【０００２】
従来より、テレビ受像機やビデオ機器、ＤＶＤ機器、セットトップボックス等の機器では、それぞれの機器に設けられたリモコン装置を用いて遠隔操作できるようになっている。係るリモコン装置には、機器が備える機能を作動させるための各種キーが備えられている。また、従来、操作性向上のため、選択項目へのフォーカスを順次移動させるための十字キーと、画面内でポインタを自由に移動させるトラックボール等のポインティングデバイスとを備えたリモコン装置が提案されている。
【先行技術文献】
【特許文献】
【０００３】
【特許文献１】特開平９−２５１３５０号公報
【発明の概要】
【発明が解決しようとする課題】
【０００４】
ところで、所定のキーの押下によって指示される、フォーカス位置での決定動作と、ポインタ位置での選択動作とでは、操作の対象となったオブジェクトへの指示内容が異なるため、一般に異なるイベントとして取り扱われる。この点に関し、ＰＣ（Personal  Computer）等では、キーボードのＥＮＴＥＲキーと、マウスのシングルクリックとを使い分けることで、フォーカス位置での決定動作とポインタ位置での選択動作とを指示することが容易である。
【０００５】
一方、リモコン装置においても、フォーカス操作やポインタ操作を行う場合には、フォーカス位置での決定動作とポインタ位置での選択動作とを行う操作キーを備える必要がある。特に、リモコン装置では、フォーカス操作を行うキーとポインタ操作を行うキーとが近接して配置される場合があり、この場合、フォーカス位置での決定動作とポインタ位置での選択動作とを単一の操作キーで行えることが操作性の観点から望ましい。しかしながら、上述したように、これらの動作は異なるイベントとして取り扱われるため、従来では夫々独立した操作ボタンに割り当てることしかできず、操作性の上で改善の余地があった。
【０００６】
本発明は、上記に鑑みてなされたものであって、リモコン装置の操作性を向上させることが可能なリモコン装置の制御方法、リモコン装置及び表示システムを提供することを目的とする。
【課題を解決するための手段】
【０００７】
実施の形態のリモコン装置の制御方法は、表示画面上に表示されたフォーカスを移動させるための第１キーと、前記表示画面上に表示されたポインタを移動させるための第２キーと、フォーカス位置での決定動作又はポインタ位置での選択動作を指示するための第３キーと、を備えたリモコン装置の制御方法であって、受付工程と、切換工程とを含む。受付工程では、リモコン装置に対する操作を受け付ける。切替工程では、受付工程で受け付けた直前の操作内容に応じて、第３キーが指示する動作内容を切り替える。
【図面の簡単な説明】
【０００８】
【図１】図１は、本実施形態に係る表示システムの構成を概略的に示す図である。
【図２】図２は、本実施形態に係るリモコン装置の閉状態における上面図である。
【図３】図３は、図２に示したリモコン装置のＡ−Ａラインでの断面を模式的に示す図である。
【図４】図４は、本実施形態に係るリモコン装置の開状態における上面図である。
【図５】図５は、図４に示したリモコン装置のＢ−Ｂラインでの断面を模式的に示す図である。
【図６】図６は、上面側筐体における方向キー及び中央キーの配置部分を拡大した図である。
【図７】図７は、中央キーのスライド操作を説明するための図である。
【図８】図８は、本実施形態に係るリモコン装置のハードウェア構成を模式的に示す図である。
【図９】図９は、本実施形態に係るリモコン装置のキー種別とイベント種別との対応関係を示す図である。
【図１０】図１０は、中央キーの押下操作に設定されるイベント種別の状態遷移の一例を示す図である。
【図１１】図１１は、図１０に示した状態遷移の一例を示すタイミングチャートである。
【図１２】図１２は、イベントコード受信時の放送受信装置の動作例を説明するための図である。
【図１３】図１３は、イベントコード受信時の放送受信装置の動作例を説明するための図である。
【図１４】図１４は、イベントコード受信時の放送受信装置の動作例を説明するための図である。
【図１５】図１５は、イベントコード受信時の放送受信装置の動作例を説明するための図である。
【図１６】図１６は、イベントコード受信時の放送受信装置の動作例を説明するための図である。
【図１７】図１７は、イベント種別を提示可能なインジケータが設けられたリモコン装置の例を示す図である。
【図１８】図１８は、中央キーの押下操作に設定されるイベント種別の状態遷移の他の例を示す図である。
【発明を実施するための形態】
【０００９】
図１は、本実施形態に係る表示システムの構成を概略的に示す図である。同図に示すように、表示システム１００は、放送受信装置１０及びリモコン装置２０を有している。
【００１０】
放送受信装置１０は、テレビ受像器やビデオ機器、ＤＶＤ機器、セットトップボックス等の電子機器であって、受信部１１、受信制御部１２、マイクロプロセッサ１３、メモリ１４、映像処理部１５及び表示装置１６等を備えている。
【００１１】
受信部１１は、リモコン装置２０から送出される信号（後述するイベントコード等）を受信することが可能な受信装置である。受信部１１が受信する信号の方式は、リモコン装置２０の仕様に準じるものとし、例えば、赤外線やＢｌｕｅｔｏｏｔｈ（登録商標）等の無線通信によるものを用いることができる。受信制御部１２は、受信部１１を制御し、当該受信部１１で受信された信号を、マイクロプロセッサ１３に通知する。
【００１２】
マイクロプロセッサ１３は、メモリ１４に記憶された各種プログラムや各種設定情報と協働し、放送受信装置１０の各部の動作を統括的に制御する。
【００１３】
具体的に、マイクロプロセッサ１３は、映像処理部１５を制御することで、図示しないチューナ装置で受信された映像信号（例えば、地上アナログ放送波やＢＳ、ＣＳ、地上デジタル放送波）や、図示しない入力インタフェースを介して入力された映像信号を、表示装置１６に表示させる。また、マイクロプロセッサ１３は、映像処理部１５を制御することで、各種のＧＵＩ（グラフィカルユーザインタフェース）を表示装置１６に表示させる。
【００１４】
また、マイクロプロセッサ１３は、受信制御部１２から通知される信号内容に応じて、フォーカスやポインタ等のＯＳＤ（On  Screen  Display）表示を映像処理部１５に指示する。具体的に、マイクロプロセッサ１３は、リモコン装置２０から送信される後述するイベントコードのイベント種別に基づき、リモコン装置２０の中央キー２１３（図２〜７参照）の押下操作に設定されているイベント種別を判別する。そして、マイクロプロセッサ１３は、判別したイベント種別を表す画像（ＯＳＤ）を表示装置１６に表示させる（図１２〜図１６参照）。
【００１５】
メモリ１４は、不揮発性の記憶媒体であって、マイクロプロセッサ１３が実行する各種のプログラムや設定情報を記憶している。
【００１６】
映像処理部１５は、マイクロプロセッサ１３の制御の下、表示装置１６に表示する映像（画像）を制御する機能部である。具体的に、映像処理部１５は、映像信号に対し所定の信号処理を施し表示装置１６に出力することで、表示装置１６に映像を表示させる。また、映像処理部１５は、マイクロプロセッサ１３からの指示に応じて、フォーカスやカーソル等のＯＳＤ信号を映像信号に重畳して表示装置１６に出力することで、表示装置１６に表示させる。
【００１７】
表示装置１６は、液晶ディスプレイ等の表示デバイスを有し、映像処理部１５から出力された映像信号に対応する映像を表示する。なお、表示装置１６は、放送受信装置１０に内蔵される形態としてもよいし、外部装置として放送受信装置１０に外付けされる形態としてもよい。
【００１８】
一方、リモコン装置２０は、放送受信装置１０を遠隔操作するためのリモコン装置であって、ユーザの操作に応じた各種の信号（後述するイベントコード等）を放送受信装置１０に送出する。以下、図２〜図６を参照し、リモコン装置２０の基本構造について説明する。
【００１９】
図２は、閉状態におけるリモコン装置２０の上面図である。図３は、図２に示したリモコン装置２０のＡ−Ａラインでの断面を模式的に示す図である。図４は、開状態におけるリモコン装置２０の上面図である。図５は、図４に示したリモコン装置２０のＢ−Ｂラインでの断面を模式的に示す図である。
【００２０】
図２〜図５に示すように、リモコン装置２０は、略直方形状を有した第１筐体としての上面側筐体２１と、略直方形状を有した第２筐体としての底面側筐体２２と、上面側筐体２１と底面側筐体２２とを回動軸ＡＸを中心に相対回動可能に連結する回動連結部２３とを備えている。ここで、上面側筐体２１と底面側筐体２２とは、回動連結部２３の回動軸ＡＸ方向（Ｚ軸方向）から見て略同一の外縁を有している。
【００２１】
上面側筐体２１の上面となる操作面上には、操作キー群２１１と、第１キーとしての方向キー２１２と、第２キー及び第３キーとしての中央キー２１３とが配置されている。ここで、操作キー群２１１は、例えば、チャンネル選択や音量コントロール等、リモート操作先の機器（以下、操作機器という）が有する主要な機能を作動させるためのものである。また、方向キー２１２は、操作機器の表示画面上に表示されるフォーカスを移動させるためのものである。また、中央キー２１３は、表示装置１６の画面上に表示されたポインタを移動させるポインティングバイスとしての機能を有するとともに、各種の決定動作を行うための機能を有している。
【００２２】
ここで、図６は、上面側筐体２１に配置された方向キー２１２及び中央キー２１３部分の拡大図である。同図に示すように、方向キー２１２は、平面状で且つ環状に成形されており、４方向に割り振られている。本実施形態のリモコン装置２０での分割は、上キー２１２Ｕ、下キー２１２Ｄ、左キー２１２Ｌ、右キー２１２Ｒの４方向である。これらの４方向を指定することにより、操作機器の表示画面上に表示されるフォーカスを移動できるようになっている。ここで、フォーカスの移動とは、表示装置１６の表示画面に表示されている所定の選択項目（オブジェクト）にフォーカスを移動させることを意味する。なお、フォーカスは、選択項目にのみ移動可能に構成されているものとする。
【００２３】
中央キー２１３は、方向キー２１２の環状部分中央に配置されている。ここで、中央キー２１３は、上述したように、ポインティングデバイスとしての機能を有している。具体的に、中央キー２１３は、図７に示すように、Ｘ及びＹ軸方向にスライド可能なポインティング・スティックとして構成されており、ユーザにより何れかの方向にスライド操作されることで、操作機器の表示画面上に表示されたポインタを移動できるようになっている。なお、図７において、破線部は無操作状態での中央キー２１３の位置を意味し、実線部はスライド操作後の中央キー２１３の位置を意味している。また、スライド量ＳＶは、無操作状態での中央キー２１３の中心Ｃの位置から、スライド後の中央キー２１３の中心Ｃ位置までの変位量（Ｘ成分及びＹ成分）を表している。
【００２４】
また、中央キー２１３は、垂直方向（Ｚ軸方向）に押下可能に構成されており、ユーザによりこの中央キー２１３が押下されることで、各種の決定動作を指示することが可能となっている。具体的に、中央キー２１３が押下されると、マイクロプロセッサ１３の制御により、フォーカス位置での決定動作又はポインタ位置での選択動作を指示するよう構成されている。
【００２５】
ここで、「フォーカス位置での決定動作」とは、フォーカスが位置する選択項目に対し、その選択項目に対応付けられた所定の機能や処理の実行を指示すること意味しており、キーボード（入力キー群２２１）でのＥＮＴＥＲキー押下に相当するものである。なお、「フォーカス位置での決定動作」は、ＥＮＴＥＲキーの押下に相当するため、文字入力の際の決定動作（例えば、文字の変換や改行等）にも用いることが可能である。また、「ポインタ位置での選択動作」とは、ポインタ位置が存在する領域（選択項目とは限らない）を選択することを意味し、マウスでのシングルクリック動作に相当するものである。
【００２６】
このように、本実施形態のリモコン装置２０では、ポインタを操作するポインティングデバイスとしての機能と、フォーカス位置での決定動作又はポインタ位置での選択動作を指示することが可能な機能とを、中央キー２１３により実現している。
【００２７】
また、上面側筐体２１には、図３及び図５に示すように、操作キー群２１１、方向キー２１２及び中央キー２１３を保持するキー保持部２１ａと、基準電位パターンやバックライト（図示せず）等を備える回路基板２１ｂとが収容配置されている。なお、上面側筐体２１において行われたキー操作の操作内容は、回動連結部２３を介して底面側筐体２２のマイクロプロセッサ２２３（図８参照）に出力されるものとする。
【００２８】
一方、底面側筐体２２の上面となる操作面上、つまり上面側筐体２１の底面と対向する面上には、ＥＮＴＥＲキーを含んだ文字入力のための入力キー群２２１が配置されている。入力キー群２２１の入力キーをユーザが押下することによって、押下された入力キーに対応する数字や文字を表す信号（キーコード）が操作機器に送信される。
【００２９】
また、図３に示すように、底面側筐体２２の前面（図３で上側）には、赤外線ＬＥＤやＢｌｕｅｔｏｏｔｈ（登録商標）通信部等を有した送信部２２２が設けられている。ユーザが上面側筐体２１又は底面側筐体２２で行った操作内容は、後述するイベントコードとして送信部２２２から操作機器に送信されるよう構成されている。さらに、底面側筐体２２には、図３及び図５に示すように、操作面上に配置された入力キー群２２１を保持するキー保持部２２ａと、基準電位パターン（図示せず）や後述するマイクロプロセッサ２２３（図８参照）等を備える回路基板２２ｂ、電源としての電池（図示せず）とが収容配置されている。
【００３０】
回動連結部２３は、回動軸ＡＸを中心に上面側筐体２１と底面側筐体２２とを互いに回動可能に連結する。ここで回動連結部２３の回動軸ＡＸは、上面側筐体２１及び底面側筐体２２において、長手方向及び短手方向の中央に位置している。
【００３１】
回動連結部２３は、図２及び図３に示すように、リモコン装置２０の閉状態において、上面側筐体２１及び底面側筐体２２の外縁が重なる位置に上面側筐体２１及び底面側筐体２２を保持する。そして、底面側筐体２２が図４の矢印Ｒの方向に回動され開状態となると、回動連結部２３は、回動軸ＡＸ方向（Ｚ軸方向）から見て、上面側筐体２１と底面側筐体２２との成す角が略直角となる配置まで回動し、入力キー群２２１を露出する（図４参照）。このように、リモコン装置２０では、入力キー群２２１を操作しない閉状態において、当該入力キー群２２１を上面側筐体２１に重ねて収容することができるため、リモコン装置２０の全体としてはコンパクトに構成することができる。
【００３２】
次に、図８を参照して、リモコン装置２０のハードウェア構成について説明する。ここで、図８は、リモコン装置２０のハードウェア構成を模式的に示す図である。リモコン装置２０は、上述したように上面側筐体２１に、操作キー群２１１、方向キー２１２及び中央キー２１３を備えている。また、リモコン装置２０は、底面側筐体２２に、上述した入力キー群２２１及び送信部２２２に加え、マイクロプロセッサ２２３を備えている。そして、操作キー群２１１、方向キー２１２、中央キー２１３、入力キー群２２１及び送信部２２２の各部は、図示しないコネクタ等を介しマイクロプロセッサ２２３に接続されている。
【００３３】
マイクロプロセッサ２２３は、リモコン装置２０の制御動作を司る制御部であって、ユーザがリモコン装置２０に対して行った各種キーの操作内容を受け付け、この操作内容に応じたイベントコード（図９参照）を、送信部２２２を用いてリモコン装置２０に送出する。なお、マイクロプロセッサ２２３は、ＲＴＣ（Real  Time  Clock）等の計時部と協働することで、経過時間を計測する機能を有しているものとする。
【００３４】
図９は、リモコン装置２０のキー種別と、そのイベント種別及びイベントコードとの対応関係を示す図である。なお、図９に示すキー種別、イベント種別及びイベントコードの関係は、テーブル等形式でマイクロプロセッサ２２３が参照可能な記憶領域（図示せず）に予め記憶されているものとする。
【００３５】
同図において、キー種別「上キー」、「下キー」、「左キー」、「右キー」は、方向キー２１２での上キー２１２Ｕ、下キー２１２Ｄ、左キー２１２Ｌ、右キー２１２Ｒ（図６参照）のそれぞれ対応している。また、方向キー２１２の押下操作に設定されるイベント種別は「ＫＥＹ＿ＥＶＥＮＴ」である。そして、方向キー２１２が実際に押下されると、このイベント種別「ＫＥＹ＿ＥＶＥＮＴ」に、押下された方向を表す情報を付加したイベントコードが送出される。例えば、上キー２１２Ｕが押下された場合には、イベントコード「ＫＥＹ＿ＥＶＥＮＴ（ＵＰ＿ＫＥＹ）」が放送受信装置１０に送出される。
【００３６】
キー種別「フリーカーソル」は、中央キー２１３のスライド操作に対応する項目である。また、中央キー２１３のスライド操作に設定されるイベント種別は「ＭＯＵＳＥ＿ＥＶＥＮＴ」である。そして、中央キー２１３のスライド操作が実際に行われると、このイベント種別「ＭＯＵＳＥ＿ＥＶＥＮＴ」に、スライド量（Ｘ成分及びＹ成分）を付加したイベントコード「ＭＯＵＳＥ＿ＥＶＥＮＴ（ＭＯＶＥ（ｘ、ｙ））」が送出される。
【００３７】
キー種別「中央キー」は、中央キー２１３の押下操作に対応する項目である。中央キー２１３の押下操作に設定されるイベント種別は、「ＫＥＹ＿ＥＶＥＮＴ」と「ＭＯＵＳＥ＿ＥＶＥＮＴ」との二つが存在する。ここで、イベント種別「ＫＥＹ＿ＥＶＥＮＴ」は、中央キー２１３の押下操作がフォーカス位置での決定動作を意味する場合に設定されるものである。この場合、中央キー２１３の押下操作が実際に行われると、このイベント種別「ＫＥＹ＿ＥＶＥＮＴ」に、フォーカス位置での決定動作を表す情報を付加したイベントコード「ＫＥＹ＿ＥＶＥＮＴ（ＥＮＴＥＲ＿ＫＥＹ）」が送出される。
【００３８】
また、イベント種別「ＭＯＵＳＥ＿ＥＶＥＮＴ」は、中央キー２１３の押下操作がポインタ位置でのクリック操作を意味する場合に設定されるものである。この場合、中央キー２１３の押下操作が実際に行われると、このイベント種別「ＭＯＵＳＥ＿ＥＶＥＮＴ」に、ポインタ位置でのクリック操作を表す情報を付加したイベントコード「ＭＯＵＳＥ＿ＥＶＥＮＴ（ＣＬＩＣＫ）」が送出される。
【００３９】
キー種別「他のキー」は、方向キー２１２及び中央キー２１３以外の他のキー（操作キー群２１１、入力キー群２２１）の押下操作に対応する項目である。他のキーの押下操作に設定されるイベント種別は「ＫＥＹ＿ＥＶＥＮＴ」である。そして、他のキーの押下操作が実際に行われると、このイベント種別「ＫＥＹ＿ＥＶＥＮＴ」に、押下されたキーを表す情報を付加したイベントコード「ＫＥＹ＿ＥＶＥＮＴ（ＫＥＹＣＯＤＥ）」が送出される。
【００４０】
マイクロプロセッサ２２３は、図９に示した関係に基づき、リモコン装置２０での操作に応じたイベントコードを、送信部２２２を介して放送受信装置１０に送信する。また、マイクロプロセッサ２２３は、直前に行われた操作内容に基づき、中央キー２１３の押下操作に設定するイベント種別を切り替える。
【００４１】
ここで、図１０を参照して、中央キー２１３の押下操作に設定するイベント種別の切り替え動作について説明する。
【００４２】
図１０は、中央キー２１３の押下操作に設定されるイベント種別の状態遷移を示す図である。なお、図１０に示す状態遷移を実現するための設定情報は、マイクロプロセッサ２２３が参照可能な記憶領域（図示せず）に予め記憶されているものとする。
【００４３】
リモコン装置２０（又は放送受信装置１０）の電源オン直後の初期状態において（状態Ｓ１１）、マイクロプロセッサ２２３は、中央キー２１３の押下操作のイベント種別を「ＫＥＹ＿ＥＶＥＮＴ」に設定する（エッジＥ１１→状態Ｓ１２）。この状態Ｓ１２のときに中央キー２１３が押下されると、マイクロプロセッサ２２３は、イベントコード「ＫＥＹ＿ＥＶＥＮＴ（ＥＮＴＥＲ＿ＫＥＹ）」を放送受信装置１０に送出する。
【００４４】
また、状態Ｓ１２のときに中央キー２１３のスライド操作が行われると、マイクロプロセッサ２２３は、スライド操作に応じたイベントコード「ＭＯＵＳＥ＿ＥＶＥＮＴ（ＭＯＶＥ（ｘ、ｙ））」を放送受信装置１０に送出する（エッジＥ１２）。これにより、表示装置１６に表示されているポインタが移動することになるが、この場合、引き続きイベント種別「ＭＯＵＳＥ＿ＥＶＥＮＴ」での決定動作、即ち、ポインタ位置での選択動作が行われる可能性が高い。そのため、マイクロプロセッサ２２３は、直前の操作内容（エッジＥ１２）に応じて、中央キー２１３の押下操作のイベント種別を「ＭＯＵＳＥ＿ＥＶＥＮＴ」に設定する（状態Ｓ１３）。
【００４５】
また、状態Ｓ１３において、中央キー２１３のスライド操作が更に行われた場合には、そのスライド操作に応じたイベントコード「ＭＯＵＳＥ＿ＥＶＥＮＴ（ＭＯＶＥ（ｘ、ｙ））」を放送受信装置１０に送出し（エッジＥ１３）、状態Ｓ１３に再び戻る。なお、状態Ｓ１３のときに中央キー２１３が押下された場合には、マイクロプロセッサ２２３は、イベントコード「ＭＯＵＳＥ＿ＥＶＥＮＴ（ＣＬＩＣＫ）」を放送受信装置１０に送出する。
【００４６】
また、マイクロプロセッサ２２３は、状態Ｓ１３においてリモコン装置２０の無操作時間を計測し、所定の第１時間（例えば、４．５秒）が経過すると（エッジＥ１４）、中央キー２１３に対する操作を所定の第２時間（例えば、０．５秒）無効化する（状態Ｓ１４）。そして、第２時間が経過すると（エッジＥ１５）、状態Ｓ１２に再び戻り、中央キー２１３の押下操作のイベント種別を「ＫＥＹ＿ＥＶＥＮＴ」に設定する。なお、エッジＥ１５の処理の際には、「ＫＥＹ＿ＥＶＥＮＴ」から「ＭＯＵＳＥ＿ＥＶＥＮＴ」への切り替えを通知するコード（例えば、ＫＥＹ＿ＥＶＥＮＴ（ＮＵＬＬ））を、放送受信装置１０に送出するものとする。
【００４７】
このように、中央キー２１３の操作を無効化する第２時間を設けることで、「ＫＥＹ＿ＥＶＥＮＴ」から「ＭＯＵＳＥ＿ＥＶＥＮＴ」への切り替わり時に中央キー２１３が操作された際の、誤操作（誤動作）の発生を防止することができるため、リモコン装置２０の操作性をより向上させることができる。なお、中央キー２１３の操作を無効化する第２時間は、無操作時間の閾値となる第１時間より小なること（０≦第２時間＜第１時間）が好ましい。また、無操作時間の計測を行わず、状態Ｓ１３を維持する形態としてもよい。
【００４８】
また、状態Ｓ１３において操作キー群２１１や方向キー２１２或いは入力キー群２２１（以下、総称してリモコンキーという）の操作が行われると、マイクロプロセッサ２２３は、操作されたキーに応じたイベントコード「ＫＥＹ＿ＥＶＥＮＴ（ＥＴＣ）」を放送受信装置１０に送出する（エッジＥ１６）。なお、“ＥＴＣ”は、操作されたキーのキーコード（例えば、上キー２１２Ｕの場合には“ＵＰ＿ＫＥＹ”）を意味する。
【００４９】
これにより、操作されたキーに応じた表示変化が表示装置１６に表されることになるが、この場合、引き続きイベント種別「ＫＥＹ＿ＥＶＥＮＴ」での決定動作、つまりカーソル位置や文字入力での決定動作が行われる可能性が高い。そのため、マイクロプロセッサ２２３は、直前の操作内容（エッジＥ１６）に応じて、中央キー２１３の押下操作のイベント種別を「ＫＥＹ＿ＥＶＥＮＴ」に設定するとともに、中央キー２１３のスライド操作時の不感エリアを拡大する（状態Ｓ１５）。
【００５０】
ここで、不感エリアの拡大とは、中央キー２１３のスライド量が所定値以上となるまで、その操作を受け付けないことを意味する。このように、スライド操作時の不感エリアを拡大することで、中央キー２１３の押下時にスライド操作が誤って行われたような場合に、このスライド操作により他の状態に遷移してしまうこと（後述するエッジＥ１７）を防止することができるため、リモコン装置２０の操作性をより向上させることができる。なお、状態Ｓ１５において、中央キー２１３のスライド操作自体を無効化する形態としてもよい。
【００５１】
状態Ｓ１５において、中央キー２１３のスライド操作が不感エリアを越えて行われると、マイクロプロセッサ２２３は、そのスライド操作に応じたイベントコード「ＭＯＵＳＥ＿ＥＶＥＮＴ（ＭＯＶＥ（ｘ、ｙ））」を放送受信装置１０に送出する（エッジＥ１７）。そして、マイクロプロセッサ２２３は、エッジＥ１２の場合と同様、直前の操作内容（エッジＥ１７）に応じて、中央キー２１３の押下操作のイベント種別を「ＭＯＵＳＥ＿ＥＶＥＮＴ」に設定する（状態Ｓ１３）。
【００５２】
また、マイクロプロセッサ２２３は、状態Ｓ１５においてリモコン装置２０の無操作時間を計測し、所定の第３時間（例えば１秒）が経過すると（エッジＥ１８）、状態Ｓ１２に再び戻り、不感エリアの設定を解除する。
【００５３】
この状態Ｓ１２において、リモコンキーの操作が行われると、マイクロプロセッサ２２３は、操作されたキーに応じたイベントコード「ＫＥＹ＿ＥＶＥＮＴ（ＥＴＣ）」を放送受信装置１０に送出する（エッジＥ１９）。そして、マイクロプロセッサ２２３は、直前の操作内容（エッジＥ１９）に応じて状態Ｓ１５に遷移し、中央キー２１３のスライド操作時の不感エリアを拡大する。
【００５４】
図１１は、図１０に示した状態遷移の一例を示すタイミングチャートである。図１１において、状態Ｓ１２〜Ｓ１５の各期間は、図１０に示した状態Ｓ１２〜Ｓ１５の夫々に対応している。また、図中矢印方向に時間経過している。
【００５５】
まず、最初の状態Ｓ１２の期間において、リモコンキー（操作キー群２１１、方向キー２１２及び入力キー群２２１）の押下操作及び中央キー２１３のスライド操作（ポインタ移動）が有効化される。また、中央キー２１３の押下操作のイベント種別は、「ＫＥＹ＿ＥＶＥＮＴ」に設定される。なお、リモコンキーの押下操作は常に有効化されるため、以下では説明を省略する。
【００５６】
リモコンキーの押下（Ｏｐ１）により状態Ｓ１５に遷移すると、中央キー２１３の不感エリア拡大又はスライド操作の無効化により、中央キー２１３のスライド操作が部分的又は全体的に無効化される。そして、リモコンキーの押下後、無操作時間が第３時間を経過すると（図中Ｔ３）、状態Ｓ１２に再び戻ることで中央キー２１３のスライド操作が再び有効化される。なお、この間、中央キー２１３の押下時のイベント種別は「ＫＥＹ＿ＥＶＥＮＴ」のまま維持される。
【００５７】
続いて、中央キー２１３のスライド操作（Ｏｐ２）により状態Ｓ１３に遷移すると、中央キー２１３の押下操作のイベント種別は「ＭＯＵＳＥ＿ＥＶＥＮＴ」に切り替えられる。そして、スライド操作後、無操作時間が第１時間＋第２時間を経過すると（図中Ｔ１＋Ｔ２）、状態Ｓ１２に再び戻ることで中央キー２１３の押下時のイベント種別が「ＫＥＹ＿ＥＶＥＮＴ」に切り替えられる。なお、第２時間を０以外とした場合には、状態Ｓ１４に移行し、中央キー２１３の操作が第２時間の間無効化される（図中Ｔ２参照）。
【００５８】
このように、本実施形態のリモコン装置２０によれば、直前に行われた操作内容に応じて、中央キー２１３の押下操作に設定するイベント種別を切り替えることで、フォーカス操作やカーソル操作を効率的に行うことが可能となるため、リモコン装置２０の操作性を向上させることができる。
【００５９】
次に、リモコン装置２０からイベントコードを受信した際の放送受信装置１０の動作について説明する。図１２、図１３は、イベントコード受信時の放送受信装置１０の動作例を説明するための図であり、表示装置１６に表示された画面の一例を示している。この画面中において「ＭｅｎｕＡ」〜「ＭｅｎｕＩ」はフォーカスＦ１の選択項目となるオブジェクト群であり、方向キー２１２の操作により何れかの選択項目にフォーカスＦ１を移動させることが可能となっている。なお、図１２、図１３では、「ＭｅｎｕＢ」にフォーカスＦ１が合わせられた例を示している。
【００６０】
マイクロプロセッサ１３は、リモコン装置２０から受信したイベントコードに含まれるイベント種別に基づき、リモコン装置２０の中央キー２１３の押下操作に設定されているイベント種別を判別する。ここで、イベント種別「ＫＥＹ＿ＥＶＥＮＴ」が設定されていると判別した場合、マイクロプロセッサ１３は、図１２に示すように、フォーカスＦ１のみを表示させることで、中央キー２１３の押下操作にイベント種別「ＫＥＹ＿ＥＶＥＮＴ」が設定されていることをユーザに提示する。また、イベント種別「ＭＯＵＳＥ＿ＥＶＥＮＴ」が設定されていると判別した場合、マイクロプロセッサ１３は、図１３に示すように、ポインタＰ１を表示させることで、中央キー２１３の押下操作にイベント種別「ＭＯＵＳＥ＿ＥＶＥＮＴ」が設定されていることをユーザに提示する。
【００６１】
このように、放送受信装置１０は、リモコン装置２０から送出されるイベント種別に応じて、表示装置１６に表示する画面を変更することで、中央キー２１３の押下操作に設定されたイベント種別をユーザに提示する。これにより、リモコン装置２０を操作するユーザに対し、中央キー２１３の押下によりフォーカス位置での決定動作が行われるのか、ポインタ位置でのクリック操作が行われるのかを把握させることが可能となる。
【００６２】
なお、イベント種別の提示方法は、図１２及び図１３の例に限らず、他の提示方法を採用する形態としてもよい。例えば、イベント種別「ＫＥＹ＿ＥＶＥＮＴ」が設定されていると判別した場合には、図１４に示すように、図１３に示したポインタＰ１よりも小さなポインタＰ２を表示する形態としてもよい。この提示方法の場合、ポインタの大小関係により、中央キー２１３の押下操作に設定されているイベント種別をユーザに提示することができる。
【００６３】
また、中央キー２１３の押下操作に設定されたイベント種別や、中央キー２１３の押下操作の機能的な意味を画面内に直接表示する形態としてもよい。例えば、イベント種別「ＫＥＹ＿ＥＶＥＮＴ」が設定されていると判別した場合には、図１５の領域Ａ１１に示すように、中央キー２１３の押下操作の機能的な意味として「Ｅｎｔｅｒ  Ｋｅｙ」と表示する形態としてもよい。また、イベント種別「ＭＯＵＳＥ＿ＥＶＥＮＴ」が設定されていると判別した場合には図１６の領域Ａ１２に示すように、中央キー２１３の押下操作の機能的な意味として「Ｐｏｉｎｔｅｒ  Ｃｌｉｃｋ」と表示する形態としてもよい。
【００６４】
なお、図１７に示すように、リモコン装置２０自体に、中央キー２１３の押下操作に設定されているイベント種別を提示可能なインジケータ２１４が設けられている場合には、このインジケータ２１４を用いて、中央キー２１３の押下操作に設定されているイベント種別をリモコン装置２０側で提示する形態としてもよい。また、中央キー２１３に対しバックライトが個別に設けられている場合には、このバックライトの光色をイベント種別に応じて変化させることで、このイベント種別をユーザに提示する形態としてもよい。
【００６５】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００６６】
例えば、上記実施形態では、ポインタを操作するポインティングデバイスとしての機能と、フォーカス位置での決定動作又はポインタ位置での選択動作を指示することが可能な機能とを、単一の中央キー２１３により実現する形態としたが、これに限らず、各機能に特化した操作キーを個別に設ける形態としてもよい。
【００６７】
また、上記実施形態では、図２〜図５に示す２段構成のリモコン装置２０を用いることとしたが、これに限らず、例えば、上面側筐体２１の操作キーのみを備えたストレート型のリモコン装置を用いる形態としてもよい。なお、本実施形態の構成のリモコン装置２０を用いる場合には、リモコン装置２０の開閉状態を検出可能な検出部（図示せず）を別途設けることで、リモコン装置２０の開閉状態に応じて、中央キー２１３の押下操作に設定するイベント種別を切り替える形態としてもよい。以下、図１８を参照して、この形態での切り替え動作の例について説明する。
【００６８】
ここで、図１８は、中央キー２１３の押下操作に設定されるイベント種別の状態遷移の他の例を示す図である。なお、同図では、リモコン装置２０の閉状態のときに中央キー２１３の押下操作をＥＮＴＥＲキーとして用いることを想定している。また、リモコン装置２０の開状態のときには、中央キー２１３の押下操作をＣＬＩＣＫキーとして用いるとともに、入力キー群２２１に含まれたＥＮＴＥＲキーを用いる形態を想定している。
【００６９】
まず、リモコン装置２０の閉状態において、マイクロプロセッサ２２３は、中央キー２１３の押下操作のイベント種別を「ＫＥＹ＿ＥＶＥＮＴ」に設定する（状態Ｓ２１）。この状態Ｓ２１のとき、リモコン装置２０が開状態にされると（エッジＥ２１）、マイクロプロセッサ２２３は、この操作内容に応じて、中央キー２１３の押下操作のイベント種別を「ＭＯＵＳＥ＿ＥＶＥＮＴ」に設定する（状態Ｓ２２）。また、状態Ｓ２２のとき、リモコン装置２０が閉状態にされると（エッジＥ２２）、マイクロプロセッサ２２３は、この操作内容に応じて、中央キー２１３の押下操作のイベント種別を「ＫＥＹ＿ＥＶＥＮＴ」に設定する（状態Ｓ２１）。
【００７０】
このように、リモコン装置２０の開閉状態に応じて、中央キー２１３の押下操作に割り当てるイベント種別を切り替えることで、フォーカス操作やカーソル操作を効率的に行うことが可能となるため、リモコン装置２０の操作性を向上させることができる。
【符号の説明】
【００７１】
１００  表示システム
１０  放送受信装置
１１  受信部
１２  受信制御部
１３  マイクロプロセッサ
１４  メモリ
１５  映像処理部
１６  表示装置
２０  リモコン装置
２１  上面側筐体
２１１  操作キー群
２１２  方向キー
２１３  中央キー
２１４  インジケータ
２２  底面側筐体
２２１  入力キー群
２２２  送信部
２２３  マイクロプロセッサ
２３  回動連結部
ＡＸ  回動軸
【図１】
2012134879.tif 000003
【図２】
2012134879.tif 000004
【図３】
2012134879.tif 000005
【図４】
2012134879.tif 000006
【図５】
2012134879.tif 000007
【図６】
2012134879.tif 000008
【図７】
2012134879.tif 000009
【図８】
2012134879.tif 000010
【図９】
2012134879.tif 000011
【図１０】
2012134879.tif 000012
【図１１】
2012134879.tif 000013
【図１２】
2012134879.tif 000014
【図１３】
2012134879.tif 000015
【図１４】
2012134879.tif 000016
【図１５】
2012134879.tif 000017
【図１６】
2012134879.tif 000018
【図１７】
2012134879.tif 000019
【図１８】
2012134879.tif 000020